(57)【要約】【課題】  センサ部を搭載したアクティブ型の非接触型データキャリア装置で、長時間にわたる正常管理域外の測定データを、メモリ部の容量を大きくせずに把握でき、更には、電池の消費の抑制をはかることができ、小型化に対応したハウジングができる、非接触型データキャリア装置を提供する。同時に、そのような非接触型データキャリア装置を用いた、センサシステムを提供する。【解決手段】  センサ部と、データを保存するメモリ部と、該メモリ部の情報を送信するための送信部と、上記各部を関連つけて制御する制御部とを有し、前記制御部は、前記センサ部から時系列的に順に測定データを取り込み、各取り込まれた測定データ毎に、ヒストグラム表示するためのデータであるヒストグラムデータとして、決められたデータ値領域毎に振り分け、且つ、各データ値領域毎に、振り分けられた測定データの個数を、前記メモリ部に保存する、ヒストグラム表示データ作成部を備えている。【選択図】  図１
2007334524.tif 000002
【特許請求の範囲】
【請求項１】
センサ部を搭載したアクティブ型の非接触型データキャリア装置であって、前記センサ部と、データを保存するメモリ部と、該メモリ部の情報を送信するための送信部と、上記各部を関連つけて制御する制御部とを有し、前記制御部は、前記センサ部から時系列的に順に測定データを取り込み、各取り込まれた測定データ毎に、ヒストグラム表示するためのデータであるヒストグラムデータとして、決められたデータ値領域毎に振り分け、且つ、各データ値領域毎に、振り分けられた測定データの個数を、前記メモリ部に保存する、ヒストグラム表示データ作成部を備えていることを特徴とする非接触型データキャリア装置。
【請求項２】
請求項１記載の非接触型データキャリア装置であって、前記ヒストグラム表示データ作成部は、センサ部から取り込まれた各測定データについて、正常管理域外の値をとる測定データのみを、ヒストグラムデータとして、正常管理域外の決められたデータ値領域毎に振り分け、且つ、各データ値領域毎に、振り分けられた測定データの個数を、前記メモリ部に保存するものであることを特徴とする非接触型データキャリア装置。
【請求項３】
請求項１ないし２のいずれか１項に記載の非接触型データキャリア装置であって、前記データ値領域として、その測定データ値の発生頻度の少ない領域については、その幅を、測定データ値の発生頻度の多い領域よりも大きくしていることを特徴とする非接触型データキャリア装置。
【請求項４】
請求項１ないし３のいずれか１項に記載の非接触型データキャリア装置であって、前記制御部は、送信部により、前記メモリ部のヒストグラムデータを、所定の時間間隔で送信するものであることを特徴とする非接触型データキャリア装置。
【請求項５】
請求項１ないし４のいずれか１項に記載の非接触型データキャリア装置であって、前記センサ部が、湿度、照度、加速度などの各種状態を検知する検知センサであることを特徴とする非接触型データキャリア装置。
【請求項６】
アクティブ型の非接触型データキャリア装置を用いたセンサシステムであって、請求項１ないし請求項５のいずれか１項に記載の非接触型データキャリア装置と、該非接触型データキャリア装置の送信部からのデータを受信する受信部とを有し、前記非接触型データキャリア装置を物品に添付してた状態で該物品を搬送ないし保管し、データ受信部により、前記物品に添付された非接触型データキャリア装置の送信部から送信されたヒストグラムデータを受信することを特徴とする非接触型データキャリア装置を用いたセンサシステム。
【発明の詳細な説明】
【技術分野】
【０００１】
本発明は、センサ部を搭載したアクティブ型の非接触型データキャリア装置に関する。  更に詳しくは、ＩＣタグ、ＲＦＩＤ、ＩＣタグシステム、ＲＦＩＤシステム、センサネットワーク等に関する。
【背景技術】
【０００２】
情報の機密性の面からＩＣカードが次第に普及されつつ中、近年では、読み書き装置（リーダライタ）と接触せずに情報の授受を行う非接触型のＩＣカードが提案され、中でも、外部の読み書き装置との信号交換を、あるいは信号交換と電力供給とを電磁波により行う方式のものが実用化されつつある。
そして、このような中、データを搭載したＩＣチップを、アンテナコイルと接続した、シート状ないし札状の非接触式のＩＣタグが、近年、種々提案され、商品や包装箱等に付け、万引き防止、物流システム、商品管理等に利用されるようになってきた。
勿論、ＩＣを持たない単なる共振タグも物品の存在感知に用いられている。
【０００３】
近年では、センサにより測定を行う小型軽量な測定部として、センサ付きのＩＣタグ、特に、小型のセンサ付きのＩＣタグも用いられるようになってきた。
センサによる測定データを蓄積するメモリを搭載せずに、センサによる測定データを送信する送信動作のみを行う第１のセンサ付きＩＣタグの場合、サンサによる測定データを蓄積するメモリを搭載し、センサによる測定データを送信する送信動作のみを行う第２のセンサ付きＩＣタグの場合、いずれも、受信機が通信距離内にあれば、リアルタイムにホスト側にデータを送信できるが、受信機が通信距離内にないとセンサの測定データの閲覧ができない。
送信のみであるため、データの再送要求やメモリ内クリア要求等を受信することが不可能である。
センサによる測定データを蓄積するメモリを搭載し、送受信ＩＣを備えた第３のセンサ付ＩＣタグの場合、受信機が通信距離内になくても測定データを保存可能で、あとでデータの閲覧が可能であるが、電池を搭載してこれを電源としてデータの通信のための回路の動作を行う、アクティブ型の場合、受信待機状態の電流が大きいため、電池の消費が非常に早いという問題がある。
センサによる測定データを蓄積するメモリを搭載し、接触式スイッチを使用し、そのスイッチ動作によりデータの通信を行う第４のセンサ付ＩＣタグの場合、受信機が通信距離内になくても測定データを保存可能で、あとでデータの閲覧が可能で、アクティブ型であっても受信時の電池の消費を低く抑えることができるが、接触式スイッチを用いているため、ハウジングすることができなかったり、使用する環境が限られていた。
【特許文献１】特開２０００−２２７９４８号公報
【発明の開示】
【発明が解決しようとする課題】
【０００４】
このように、近年では、センサにより測定を行う小型軽量な測定部として、センサ付きのＩＣタグ、特に、小型のセンサ付きのＩＣタグも用いられるようになってきたが、センサ付ＩＣタグの分野においては、長時間使用を考慮して、消費電流を抑制することが必要不可欠である。
しかし、小型のセンサ部を搭載したアクティブ型のＩＣタグにおいては、消費電流を抑制するためには、メモリを搭載しない場合、リアルタイムでデータを送信することしかできない問題がある。
また、メモリを搭載し、送受信用のＩＣチップ（制御部のこと）を用いた場合においても、常時受信待機するタイプの場合、ＩＣタグが待機電流を消費してしまい、電池の消費が大きくなるという問題がある。
本発明はこれらに対応するもので、具体的には、センサ部を搭載したアクティブ型の非接触型データキャリア装置で、長時間にわたる正常管理域外の測定データを、メモリ部の容量を大きくせずに把握でき、更には、電池の消費の抑制をはかることができ、小型化に対応したハウジングができる、非接触型データキャリア装置を提供しようとするものである。
同時にそのような非接触型データキャリア装置を用いた、センサシステムを提供しようとするものである。
【課題を解決するための手段】
【０００５】
本発明の非接触型データキャリア装置はセンサ部を搭載したアクティブ型の非接触型データキャリア装置であって、前記センサ部と、データを保存するメモリ部と、該メモリ部の情報を送信するための送信部と、上記各部を関連つけて制御する制御部とを有し、前記制御部は、前記センサ部から時系列的に順に測定データを取り込み、各取り込まれた測定データ毎に、ヒストグラム表示するためのデータであるヒストグラムデータとして、決められたデータ値領域毎に振り分け、且つ、各データ値領域毎に、振り分けられた測定データの個数を、前記メモリ部に保存する、ヒストグラム表示データ作成部を備えていることを特徴とするものである。
そして、上記の非接触型データキャリア装置であって、前記ヒストグラム表示データ作成部は、センサ部から取り込まれた各測定データについて、正常管理域外の値をとる測定データのみを、ヒストグラムデータとして、正常管理域外の決められたデータ値領域毎に振り分け、且つ、各データ値領域毎に、振り分けられた測定データの個数を、前記メモリ部に保存するものであることを特徴とするものである。
そしてまた、上記いずれかの非接触型データキャリア装置であって、前記データ値領域として、その測定データ値の発生頻度の少ない領域については、その幅を、測定データ値の発生頻度の多い領域よりも大きくしていることを特徴とするものである。
また、上記いずれか１項に記載の非接触型データキャリア装置であって、前記制御部は、送信部により、前記メモリ部のヒストグラムデータを、所定の時間間隔で送信するものであることを特徴とするものである。
また、上記いずれかの非接触型データキャリア装置であって、前記センサ部が、湿度、照度、加速度などの各種状態を検知する検知センサであることを特徴とするものである。  尚、ここで、「センサ部から時系列的に順に測定データを取り込み、」とは、時間の経過とともに複数回測定データを取り込むことで、通常は、所定の一定時間間隔で測定データを取り込む。
【０００６】
本発明の非接触型データキャリア装置を用いたセンサシステムは、アクティブ型の非接触型データキャリア装置を用いたセンサシステムであって、請求項１ないし請求項５のいずれか１項に記載の非接触型データキャリア装置と、該非接触型データキャリア装置の送信部からのデータを受信する受信部とを有し、前記非接触型データキャリア装置を物品に添付してた状態で該物品を搬送ないし保管し、データ受信部により、前記物品に添付された非接触型データキャリア装置の送信部から送信されたヒストグラムデータを受信することを特徴とするものである。
【０００７】
（作用）
本発明の非接触型データキャリア装置は、このような構成にすることにより、センサ部を搭載したアクティブ型のＩＣタグで、長時間にわたる正常管理域外の測定データを、メモリ部の容量を大きくせずに把握でき、更には、電池の消費の抑制をはかることができ、小型化に対応したハウジングができる、非接触型データキャリア装置の提供を可能としている。
具体的には、センサ部と、データを保存するメモリ部と、該メモリ部の情報を送信するための送信部と、上記各部を関連つけて制御する制御部とを有し、前記制御部は、前記センサ部から時系列的に順に測定データを取り込み、各取り込まれた測定データ毎に、ヒストグラム表示するためのデータであるヒストグラムデータとして、決められたデータ値領域毎に振り分け、且つ、各データ値領域毎に、振り分けられた測定データの個数を、前記メモリ部に保存する、ヒストグラム表示データ作成部を備えていることにより、これを達成している。
詳しくは、制御部を設けていることにより、所望の決められた時だけに送信を行うことができ、消費電力を少なくできる。
また、ヒストグラムデータとしてメモリ部に蓄積するために、メモリ部を大容量とする必要はなく、これにより、小容量、小サイズのメモリ部を用いることができる。
送信のみの非接触型データキャリア装置でも、ヒストグラムデータを、例えば、所定の一定間隔で送信することで、大がかりなメモリを必要とせず、かつデータ長がを短くすることができ、この結果、過去のデータをヒストグラムデータとして閲覧することも可能となる。
また、ヒストグラムデータを送信することで、受信側は、受信されたデータの解析を行わなくてもよく、簡単に測定値データの分布を知ることができる。
【０００８】
そして、前記ヒストグラム表示データ作成部は、センサ部から取り込まれた各測定データについて、正常管理域外の値をとる測定データのみを、ヒストグラムデータとして、正常管理域外の決められたデータ値領域毎に振り分け、且つ、各データ値領域毎に、振り分けられた測定データの個数を、前記メモリ部に保存するものである、請求項２の発明の形態とすることにより、該非接触型データキャリア装置を、より、効果的に、長時間にわたる正常管理域外の測定データを、メモリ部の容量を大きくせずに把握でき、更には、電池の消費の抑制をはかることができ、小型化に対応したハウジングができるものとしている。
正常管理域外の値をとる測定データのみを、ヒストグラムデータとして、正常管理域外の決められたデータ値領域毎に振り分け、各データ値領域毎に、振り分けられた測定データの個数を、前記メモリ部に保存するものであることにより、正常管理域内にも測定データをとる場合に比べ、非接触型データキャリア装置において、メモリ部の容量を大きくせずに、より小型化に対応したハウジングを可能としており、また、受信側は、受信されたデータの解析を行わなくてもよく、簡単に正常管理域外の値をとる測定データの分布を知ることができる。
これは、正常管理域外の測定データがある場合だけを重要視する場合に着目したもので、メモリ部の容量に制限があり、測定する測定データ数に比べてメモリ部の容量が小さい場合、ヒストグラムの全データの数が決まってしまっている場合には有効である。
また、前記データ値領域として、その測定データ値の発生頻度の少ない領域については、その幅を、測定データ値の発生頻度の多い領域よりも大きくしている、請求項３の発明の形態とすることにより、メモリ部が少ない容量でも広い範囲の測定データを効率的にヒストグラム表示できるものとしている。
また、送信部により、前記メモリ部のヒストグラムデータを、所定の時間間隔で送信するものである、請求項４の発明の形態とすることにより、所望の少ない電力消費を可能としている。
特に、前記センサ部が、湿度、照度、加速度などの各種状態を検知する検知センサである、請求項５の発明の形態の場合、汎用的に広く用いることができ、有効である。
【０００９】
本発明の非接触型データキャリア装置を用いたセンサシステムは、このような構成にすることにより、物品を搬送、保管をする際に、上記本発明の非接触型データキャリア装置を該物品に添付して用い、そのサンサ部に該物品の状態変化を、簡単な構成で精度良く把握することを、現実的に可能としている。
【発明の効果】
【００１０】
本発明は、上記のように、センサ部を搭載したアクティブ型のＩＣタグで、長時間にわたる正常管理域外の測定データを、メモリ部の容量を大きくせずに把握でき、更には、電池の消費の抑制をはかることができ、小型化に対応したハウジングができる、非接触型データキャリア装置の提供を可能とした。
同時にそのような非接触型データキャリア装置を用いた、センサシステムの提供を可能とした。
【発明を実施するための最良の形態】
【００１１】
本発明の実施の形態を図に基づいて説明する。
図１は本発明の非接触型データキャリア装置の実施の形態の１例とそれを用いたセンサシステムを示した概略構成図で、図２は図１に示す非接触型データキャリア装置のヒストグラム表示データの作成処理のフローを示した概略フロー図で、図３は測定データ値と良品率の関係と、ヒストグラムの測定データの区分との関係を説明するための図で、図４（ａ）は温度センサを用いた場合の測定温度を測定回に対応して示した表で、図４（ｂ）は従来のヒストグラム表示を示した図で、図４（ｂ１）は区間Ｂ１〜区間Ｂ８の温度域と頻度を示した表で、図４（ｃ）は本発明におけるヒストグラム表示を示した図で、図４（ｃ１）は区間Ｃ１〜区間Ｃ８の温度域と頻度を示した表である。
尚、図２中、Ｓ１〜Ｓ９は処理ステップを示している。
図１〜図４において、１０は非接触型データキャリア装置、１１は制御部、１１ａはヒストグラム表示データ作成部、１２は送信部、１３はセンサ部、１４はメモリ部、１５は電源部、２０は受信部、Ｐ１、Ｐ２はグラフ上の位置（ポイントとも言う）、Ｆ１は良品率グラフ、Ｒｇは正常管理域である。
【００１２】
はじめに、本発明の非接触型データキャリア装置の実施の形態の１例を図１に基づいて説明する。
本例の非接触型データキャリア装置１０は、図１に示すように、温度センサからなるセンサ部１３と、データを保存するメモリ部１４と、該メモリ部１４の情報を送信するための送信部１２と、各部を関連つけて制御する制御部１１とを有する、アクティブ型の非接触型データキャリア装置で、特に、制御部１１は、センサ部１３から時系列的に順に測定データを取り込み、各取り込まれた測定データ毎に、ヒストグラム表示するためのデータであるヒストグラムデータとして、決められたデータ値領域毎に振り分け、且つ、各データ値領域毎に、振り分けられた測定データの個数を、前記メモリ部１４に保存する、ヒストグラム表示データ作成部１１ａを備えている。
尚、上記決められたデータ値領域をデータ値区分あるいは単に区分とも言う。
ヒストグラム表示データ作成部１１ａは、制御部１１にソフト的に形成されたもので、センサ部１３から得られた各測定データについて、正常管理域外の値をとる測定データのみを、ヒストグラムデータとして、正常管理域外の決められたデータ値領域毎に振り分け、各データ値領域毎に、振り分けられた測定データの個数を、前記メモリ部に保存するものである。
本例においては、ヒストグラムデータをメモリ部１４に蓄積するが、メモリ部１４を大容量とする必要をなくしており、小容量、小サイズのメモリ部１４を用いることを可能としている。
そして、制御部を設けていることにより、所望の決められた時だけに、例えば、所定の一定時間間隔で、ヒストグラムデータを送信を行うことができ、消費電力を少なくできる。
このように、送信のみの非接触型データキャリア装置でも、大がかりなメモリを必要とせず、かつ送信するヒストグラムデータのデータ長を短くすることができるため、ヒストグラムデータとして、過去のデータを閲覧することも可能となる。
【００１３】
ここでは、電源部１５は、センサ部１３および制御部１１の動作用の電源および制御部１１の指示による、ヒストグラムデータ作成部１１ａによる作成動作やメモリ部のデータの送信を行うデータ送信動作等の各動作のための電源として用いられる。
制御部１１は、単に、マイコンあるいはプロセッサとも呼ばれ、ＩＣチップからなり、ここでは、制御部１１の管理の下でメモリ部１３のデータの送信を送信部１２を介して行うため、これを、データ通信用のＩＣチップとも言う。
送信部１２は、送信回路、アンテナコイル等からなる。
センサ部１３は、ここでは、温度センサである。
メモリ部１４は、不揮発性の読み込み書き込みが可能なもので、ここでは制御部とは別体のＩＣメモリからなる。
制御部１１は、所定の間隔あるいは所定の時刻に検知された温度測定データをセンサ部１３から取り込み、取り込んだ測定データをヒストグラム表示データ作成部１１ａにて処理し、ヒストグラムデータをメモリ部１４に記録し、所定の時刻あるいは、測定終了時点において、メモリ部１４のヒストグラムデータを送信部１２により送信する。
ヒストグラムデータを送信する際には、そのＩＤも送信する。
【００１４】
ここで、図３に基づいて、測定データ値と良品率の関係、ヒストグラムの測定データの区分、正常管理域と正常管理域外について簡単に説明しておく。
図３に示す良品率グラフＦ１は、測定データと良品率との関係を示したもので、これは実際に行ったデータから得ることができる。
例えば、測定データ区分け１のように区分１〜区分８の８区分をとった場合、区分２〜区分７は、良品率が高く（８０％以上）、区分１、区分８では、良品率が８０〜１０％となる。
そして、良品率の面から、この区分２〜区分７の範囲に測定データを管理することが要求されることがある。
このように測定データを良品率の高い所定区間範囲に管理する場合、該所定区間範囲を、ここでは、正常管理域と言い、また、該所定区間範囲以外を正常管理域外と言い、ヒストグラム上では、正常管理域に対応する部分を正常管理帯とも言う。
図３において、測定データの区分け１においては、ポイントＰ１，Ｐ２は、いずれも、区分８にあるが、ポイントＰ１では良品率７５％、ポイントＰ２では良品率４５％と、同じ区分にあっても良品率が大きく異なる。
このため、更に区分を増やして、ポイントＰ１，Ｐ２を別の区分とすることもできるが、区分数が増え、ヒストグラムとして表示させるにはデータ量が大きくなる。
一方、測定データの区分け２のように、正常管理域外のみに区分Ａ１〜区分Ａ８の８区分をとった場合、ポイントＰ１，Ｐ２を別の区分とすることもでき、且つ、区分数を増やすことがなく、即ち、データ量を増やさずに、測定データから不良となる確率が高いデータのみを確実にヒストグラムを表示するデータとして得ることができる。
測定データの区分け２においては、測定データ値で、良品率が２０％以下と良品の発生頻度の少ない領域については、良品率がこれより大の、良品の発生頻度の多い領域の場合に比べて、区分幅を大きくしている。
尚、良品率が２０％以下の領域を区分Ａ１、区分Ａ８とし、良品率がこれより大の領域については、区分幅を同じとしている。
【００１５】
例えば、図４（ａ）に示すように、各測定回に測定温度を得たとする。
この場合、温度Ｔ℃が２＜Ｔ≦１０の正常管理域を含め全温度領域を、図４（ｂ１）に示すように、Ｂ１〜Ｂ８の８区分に分けると、そのヒストグラムは図４（ｂ）のようになる。
ここで、温度Ｔ℃が２＜Ｔ≦１０である正常管理域外の温度領域のみのついて、図４（ｃ１）に示すように、Ｃ１〜Ｃ８の８区分に分けると、そのヒストグラムは図４（ｃ）のようになる。
このように、測定データ（図４（ａ）参照）について、正常管理域外の温度領域のみを対象としてヒストグラム表示すると、一般に、区分の頻度は少なくなる。
これは、通常、正常管理域となるように意図的にしているためである。
このことは、図４（ｃ）に示すヒストグラム表示の方が、図４（ｂ）に示すヒストグラム表示に比べて、メモリ部１４の限られたメモリ容量において、長い時間経過の測定データを示すことができることを意味する。
また、図４（ｃ）に示すヒストグラム表示の方が、図４（ｂ）に示すヒストグラム表示に比べて、メモリ部１４のたメモリ容量を小さくできることを意味する。
【００１６】
次に、図２に基づいて、図１を参照にしながら、本例の非接触型データキャリア装置のヒストグラム表示データの作成処理のフローの１例を、簡単に、説明する。
予め、正常管理域外のヒストグラムの区分を決め（Ｓ１）、メモリ部１４に、各区分に対応して所定頻度分（Ｎ個分）のメモリ領域を確保し、各区分とも対応する頻度の初期値を０としておく。（Ｓ２）
次いで測定を開始する。
先ず、センサ部１３から測定データを取り込む。（Ｓ３）
次いで、取り込んだ測定データが正常管理域外の所定の区分にあるか否かを判断し（Ｓ４）、ある場合には、該測定データについて、該当する区分を把握し（Ｓ５）、更に、メモリ部１４のデータの該区分に対応する頻度データが所定頻度（Ｎ個）に達しているかを判断する。（Ｓ６）
所定の頻度（Ｎ個）に達していない場合には、メモリ部１４のデータの該当する区分について、対応する頻度のデータｎを、ｎ+ １に書き換えて記録し（Ｓ７）、更に、センサ部１３の測定を終了して、ヒストグラムデータを送信するか否かを判断する。（Ｓ８）
また、所定の頻度（Ｎ個）に達している場合には、処理ステップＳ６から処理ステップＳ８へと進む。
処理ステップＳ８において、センサ部１３の測定を終了して、ヒストグラムデータを送信する場合には、ヒストグラムデータを送信し（Ｓ９）、またそうでない場合には、上記Ｓ３〜Ｓ８の処理ステップを繰り返す。
尚、ここでは、処理ステップＳ８において、センサ部１３の測定を終了し、且つ、ヒストグラムデータを送信するかを判断しているが、これに限定されない。
【００１７】
本例の非接触式スイッチ付き非接触型データキャリア装置１０は、物品に添付して、例えば、図１に示す、非接触型データキャリア装置１０と該非接触型データキャリア装置１０の送信部１２からのデータを受信する受信部２０とを有するセンサシステムが挙げられる。
このセンサシステムは、非接触型データキャリア装置１０を物品に添付してた状態で該物品を搬送ないし保管し、受信部２０により、物品に添付された非接触型データキャリア装置１０の送信部１２から送信されたヒストグラムデータを受信するもので、受信部２０により得られたデータにより、搬送ないし保管の途中の温度変化を把握することができる。
このように搬送された物品から非接触式スイッチ付き非接触型データキャリア装置１０をはずして、再利用することができる。
【００１８】
尚、上記例は１例で、本発明はこれらに限定されるものではない。
また、図１に示す本例の非接触型データキャリア装置１０に更に他の機能、例えば、データの送信の他にデータの受信を行うための、受信部を設けた形態も挙げられる。
この場合には、図１に示すセンサシステムにおいて、受信部２０側に更に非接触型データキャリア装置１０へ送信を行う送信部を設ける。
本例のセンサ部１３は温度センサであるが、これに代え、湿度、照度、加速度などの各種状態を検知する検知センサである形態も挙げることができる。
【図面の簡単な説明】
【００１９】
【図１】本発明の非接触型データキャリア装置の実施の形態の１例とそれを用いたセンサシステムを示した概略構成図である。
【図２】図１に示す非接触型データキャリア装置のヒストグラム表示データの作成処理のフローを示した概略フロー図である。
【図３】測定データ値と良品率の関係と、ヒストグラムの測定データの区分との関係を説明するための図である。
【図４】図４（ａ）は温度センサを用いた場合の測定温度を測定回に対応して示した表で、図４（ｂ）は従来のヒストグラム表示を示した図で、図４（ｂ１）は区間Ｂ１〜区間Ｂ８の温度域と頻度を示した表で、図４（ｃ）は本発明におけるヒストグラム表示を示した図で、図４（ｃ１）は区間Ｃ１〜区間Ｃ８の温度域と頻度を示した表である。
【符号の説明】
【００２０】
１０            非接触型データキャリア装置
１１            制御部
１１ａ          ヒストグラム表示データ作成部
１２            送信部
１３            センサ部
１４            メモリ部
１５            電源部
２０            受信部
Ｐ１、Ｐ２      グラフ上の位置（ポイントとも言う）
Ｆ１            良品率グラフ
Ｒｇ            正常管理域
【図１】
2007334524.tif 000003
【図２】
2007334524.tif 000004
【図３】
2007334524.tif 000005
【図４】
2007334524.tif 000006